(57)【要約】      （修正有）【課題】非接触型ＩＣカード等の電子情報媒体内に有する重要情報の漏出を防止し、安全に収納することができる電子情報格納媒体の収納構造を提供する。【解決手段】電子情報処理装置との間において非接触状態で電磁波により情報の送受信を行いうる電子情報格納媒体１３を、電磁的に外部からシールドする状態で収納しうるように構成されている収納部１５を有する。【選択図】図２
0003114145.tif 000002
【実用新案登録請求の範囲】
【請求項１】
電子情報処理装置との間において非接触状態で電磁波により情報の送受信を行いうる電子情報格納媒体を、電磁的に外部からシールドする状態で収納しうる収納部を有することを特徴とする電子情報格納媒体の収納構造。
【請求項２】
上記電子情報格納媒体は、ＩＣチップを有するカードであると共に、上記収納部は財布に形成されたカード収納部であって、上記カード収納部は、上記カードが埋没する状態で収納しうるように構成されていることを特徴とする請求項１記載の電子情報格納媒体の収納構造  
【請求項３】
上記電子情報格納媒体は、ＩＣチップを有するカードであると共に、上記収納部はカードケースに形成されたカード収納部であって、上記カード収納部は、上記カードが埋没する状態で収納しうるように構成されていることを特徴とする請求項１記載の収納構造。
【請求項４】
上記電子情報格納媒体は、ＩＣチップを有するカードであると共に、上記収納部は手帳に形成されたカード収納部であって、上記カード収納部は、上記カードが埋没する状態で収納しうるように構成されていることを特徴とする請求項１記載の収納構造。
【請求項５】
上記収納部は、外皮材と、上記外皮材の内側面部に設けられた内装材とにより構成され、上記内装材は、収納部を形成する外皮材の全域に亘って設けられ、電磁波をシールドしうる素材により形成されていることを特徴とする請求項２〜４記載の収納構造。
【請求項６】
上記収納部を形成する端部は、上記内装材が互いに当接しうるように固定されていることを特徴とする請求項２〜５記載の収納構造。
【請求項７】
上記カード収納部には、開口部を開閉可能に被覆しうるフラップ部が設けられ、上記フラップ部の内側には上記内装材が設けられていることを特徴とする請求項２〜６記載の収納構造。
【請求項８】
上記財布は、札入れとして形成され、複数の上記カード収納部を有し、上記複数の各カード収納部には、先端部側収納部から後端部側収納部にかけて、夫々、上記各カード収納部を形成する内装材が財布後端に至るまで厚さ方向に重複して設けられていることを特徴とする請求項２記載の収納構造。 
【請求項９】
上記財布は、平面長方形状に形成され、展開状態においては長方形状に形成されると共に幅方向に沿って折り畳み可能に形成され、幅方向一方側には上記複数のカード収納部が長さ方向に沿って設けられる一方、幅方向他方側には上記収納部を構成する札入れ部が設けられ、上記札入れ部内にはカード収納部が設けられていることを特徴とする請求項８記載の収納構造。
【請求項１０】
上記記札入れ部には、開口部を開閉可能に被覆しうるフラップ部が設けられ、上記フラップ部の内側には上記内装材が設けられていることを特徴とする請求項９記載の収納構造。
【請求項１１】
上記カード収納部は上記内装材により形成されていることを特徴とする請求項９記載の収納構造。  
【請求項１２】
上記札入れ部の背面側には上記カードを収納可能な収納部が設けられ、上記収納部を画成する長さ方向両端部は上記内装材により被覆されていることを特徴とする請求項  １１記載の収納構造。
【請求項１３】
上記フラップ部には、上記表面側外皮材の厚さ寸法と略同一の厚さ寸法を有するスペーサーを介して開口部を開閉可能に被覆しうるように形成されていることを特徴とする請求項７記載の収納構造。
【請求項１４】
上記収納部は、電磁波をシールドしうる素材からなる袋体と、
この袋体の開口部に取り付けられたファスナー部とにより構成され、
上記ファスナー部は、金属製のファスナーと、
このファスナーが固定された上記素材からなるファスナー固定片とを有することを特徴とする請求項１記載の収納構造。
【請求項１５】
上記袋体には、上記ファスナー部を被覆し、電磁波をシールドしうるフラップ部が設けられていることを特徴とする請求項１４記載の収納構造。
【請求項１６】
上記袋体は長さ方向を有する開口部を有し、上記ファスナー部は、上記開口部において長さ方向に沿って、上記開口部の幅方向両側に対向して配置された一対のスライドガイド部と、上記一対のスライドガイド部に係合して配置され、適宜の部位において固定可能にスライドさせうるスライド部と、上記スライド部に固定され上記一対のスライドガイド部の間を長さ方向に沿って遮蔽しうる遮蔽部材とを有し、上記ファスナー部は袋体内方を電磁的にシールドしうるように形成されていることを特徴とする請求項１４記載の収納構造。
【請求項１７】
上記一対のスライドガイド部には、所定間隔をおいて連続して設けられた係止凹部が互いに内方に向かい合うように形成されると共に、上記スライド部には、上記ガイド部に設けられた係止凹部に対して付勢されて係止しうるように形成された係止凸部が設けられ、上記スライド部には、上記係止凹部に対する上記係止凸部の付勢力を保持しうるように形成されたロック部が形成されていることを特徴とする請求項１６記載の収納構造。
【請求項１８】
上記電子情報格納媒体は、ＩＣチップを有するカードであると共に、
上記収納部は洋服のポケットに形成されたカード収納部であって、
上記カード収納部は、上記カードが埋没する状態で収納しうるように構成されていることを特徴とする請求項１記載の収納構造。
【請求項１９】
上記電子情報格納媒体は携帯電話であることを特徴とする請求項１記載の収納構造。
【請求項２０】
上記電子情報格納媒体は腕時計であることを特徴とする請求項１記載の収納構造。
【請求項２１】
上記フラップ部には、上記開口部を閉止状態で保持しうる係止部が形成されていることを特徴とする請求項１３記載の収納構造。
【考案の詳細な説明】
【技術分野】
【０００１】
本考案は、収納構造に係り、特に、外部からの電磁的作用による情報の漏洩を防ぎ、ＩＣカード等を安全に収納することができる収納構造に関する。
【背景技術】
【０００２】
近年、電子情報処理装置との間において、非接触状態で電磁波により情報の送受信を行いうるＩＣチップ部が設けられている非接触型のＩＣカード等の電子情報格納媒体が普及している。
上記、非接触型ＩＣカードは、駅などの改札ゲートや、店頭に設けられているカードリーダ・ライタなどの電子情報処理装置を介して、ＩＣカードと電子情報処理装置との間において、電子情報データの相互通信を行い、電子商取引が行われる。
したがって、上記ＩＣカード内に保存されている電子情報データには、貨幣価値の交換（決済）をコンピュータ上で実現する電子マネーなどの重要個人情報が蓄積されている。
上記非接触型ＩＣカードは、上記カードリーダ・ライタに対し直接接触せずにカード内に存在する個人データ等の情報の読み出しを行うことができる。
【０００３】
このため、物理的にカードの盗難が生じていない場合であっても、例えば満員電車内などの不特定の者が互いに近接しているような状況においては、悪意ある者によって、バッグ内に収納している財布内のカードを、カードリーダー等のＩＣカード読み取り手段が用いられることにより、バッグの外部からカード内の重要情報が読み取られる可能性がある。
【０００４】
上記カードリーダー等の電子情報処理装置は、上記非接触型ＩＣカードに対し、電磁波を発して電磁誘導によりＩＣカードに対し一定の電力を与えることによって、上記ＩＣカードから発せられる電磁波を解読し、データの読み出しを行うことができるものである。
このため、上記ＩＣカード内の情報の漏洩を防止するために、上記カードリーダーから発せられる電磁波を遮断する電磁波シールド手段を備えた収納構造が存在している（特許文献１、特許文献２）。
【特許文献１】特開２００４−１８８２１５号
【特許文献２】特開２００３−３００５７９号
【考案の開示】
【考案が解決しようとする課題】
【０００５】
上記特許文献１、及び特許文献２において、上記電磁波シールド手段は、単に上記ＩＣカードの両面を覆っているものであり、また、カードの扱いやすさを考慮して、ＩＣカードの端部を摘まんで取り出せるように、ＩＣカードの一端部が露呈した状態に形成されている。
【０００６】
上記ＩＣカードの一端部が露呈した箇所において、ＩＣカードに設けられているアンテナ回路が露呈していない場合であっても、ＩＣカードの一部が露呈している場合には、外部から上記電磁波による不法なアクセスがあった場合に、その露呈した箇所を介して電磁波がＩＣカードのアンテナ回路に作用する。
したがって、上記露呈箇所を通じて、カード内の重要情報が不正に窃取される可能性がある。
【０００７】
また、財布やパスケースにあっては、見栄えの観点から、互いに端縁部を折り返し部として内方に折り返した状態で形成される場合が多い。
したがって、上記電磁波シールド素材からなる被覆材により、ＩＣカードの両面が覆われるように形成されている場合であっても、上記カードリーダーの電磁波の出力が所定の出力に至った場合には、上記折り返し部に存する縫い目などの隙間から電磁波がＩＣカードに作用して、カード内の重要情報が不正に窃取される可能性がある。
【０００８】
そこで本考案が解決しようとする課題は、非接触型ＩＣカード等の電子情報媒体内に有する重要情報の漏出を防止し、安全に収納することができる電子情報格納媒体の収納構造を提供することにある。
【課題を解決するための手段】
【０００９】
このような技術的課題解決のため、請求項１記載の考案は、電子情報処理装置との間において非接触状態で電磁波により情報の送信を行いうる電子情報格納媒体１３を、電磁的に外部からシールドする状態で収納しうる収納部１５を有することを特徴とする。
【００１０】
従って、請求項１記載の考案にあっては、上記収納部１５内に電子情報格納媒体１３を収納することによって、上記電子情報格納媒体１３に対する外部の電磁波を遮断することができる。
【００１１】
請求項２記載の考案にあっては、上記電子情報格納媒体１３は、ＩＣチップを有するＩＣカード１７であると共に、上記収納部１５は財布１０に形成されたカード収納部１８であって、上記カード収納部１８は、上記ＩＣカード１７が埋没する状態で収納しうるように構成されていることを特徴とする。
【００１２】
従って、請求項２記載の考案にあっては、上記ＩＣカード１７を上記財布１０に形成されているカード収納部１８に収納することができる。
上記ＩＣカード１７は、上記カード収納部１８内に埋没しうるように収納されることから、カード収納部１８の側方からは視認不可能な状態で収納され、上記財布１０の側方からの外部の電磁波を有効に遮断しうるようにして収納することができる。
【００１３】
請求項３記載の考案にあっては、上記電子情報格納媒体１３は、ＩＣチップを有するＩＣカード１７であると共に、上記収納部１５はカードケース１１に形成されたカード収納部１８であって、上記カード収納部１８は、上記ＩＣカード１７が埋没する状態で収納しうるように構成されていることを特徴とする。
【００１４】
従って、請求項３記載の考案にあっては、上記ＩＣカード１７を上記カードケース１１に形成されているカード収納部１８に収納することができる。
上記ＩＣカード１７は、上記カード収納部１８内に埋没しうるように収納されることから、カード収納部１８の側方からは視認不可能な状態で収納され、上記カードケース１１の側方からの外部の電磁波を有効に遮断しうるようにして収納することができる。
【００１５】
請求項４記載の考案にあっては、上記電子情報格納媒体１３は、ＩＣチップを有するＩＣカード１７であると共に、上記収納部１５は手帳に形成されたカード収納部１８であって、上記カード収納部１８は、上記ＩＣカード１７が埋没する状態で収納しうるように構成されていることを特徴とする。
【００１６】
従って、請求項４記載の考案にあっては、上記ＩＣカード１７を上記手帳に形成されているカード収納部１８に収納することができる。
上記ＩＣカード１７は、上記カード収納部１８内に埋没しうるように収納されることから、カード収納部１８の側方からは視認不可能な状態で収納され、上記手帳の側方からの外部の電磁波を有効に遮断しうるようにして収納することができる。
【００１７】
請求項５記載の考案にあっては、上記収納部１５は、外皮材１９と、上記外皮材１９の内側面部に設けられた内装材２０とにより構成され、上記内装材２０は、収納部１５を形成する外皮材１９の全域に亘って設けられ、電磁波をシールドしうる素材により形成されていることを特徴とする。
【００１８】
従って、請求項５記載の考案にあっては、上記収納部１５は、上記収納部１５内に上記電子情報格納媒体１３を収納することによって、上記電子情報格納媒体１３を上記内装材２０によって覆うことができる。
【００１９】
請求項６記載の考案にあっては、上記収納部１５を形成する端部２２は、上記内装材２０，２０が互いに当接しうるように固定されていることを特徴とする。
【００２０】
従って、請求項６記載の考案にあっては、上記収納部１５の端部２２において、上記内装材２０，２０が互いに当接していることから、上記内装材２０，２０間に間隙が形成されず、上記収納部１５の端部２２において電磁波が漏洩しない。
【００２１】
請求項７記載の考案にあっては、上記カード収納部１８には、開口部２１を開閉可能に被覆しうるフラップ部２３が設けられ、上記フラップ部２３の内側には上記内装材２０が設けられていることを特徴とする。 
【００２２】
従って、請求項７記載の考案にあっては、上記カード収納部１８の開口部２１を、上記フラップ部２３によって遮蔽することができる。
このことにより、上記カード収納部１８の電磁波に対する遮蔽効果を向上させることができる。
【００２３】
請求項８記載の考案にあっては、上記財布１０は、札入れとして形成され、複数の上記カード収納部１８を有し、上記複数の各カード収納部１８には、先端部側収納部４０から後端部側収納部４１にかけて、夫々、上記各カード収納部１８を形成する内装材２０が財布１０後端に至るまで厚さ方向に重複して設けられていることを特徴とする。
【００２４】
従って、請求項８記載の考案にあっては、複数のＩＣカード１７を収納することができる。
また、上記内装材２０が財布１０後端に至るまで厚さ方向に重複して設けられていることから、先端部側から後端部側に至るに従って、電磁波の遮断効果が高まり、上記内装材２０が最も多く重複して形成されている後端部側収納部４１においては、外方からの電磁波を遮断する効果が最も大きくなる。
【００２５】
請求項９記載の考案にあっては、平面長方形状に形成され、上記財布１０は、展開状態においては長方形状に形成されると共に幅方向に沿って折り畳み可能に形成され、幅方向一方側には上記複数のカード収納部１８が長さ方向に沿って設けられる一方、幅方向他方側には上記収納部１５を構成する札入れ部２４が設けられ、上記札入れ部２４内にはカード収納部１８が設けられていることを特徴とする。
【００２６】
従って、請求項９記載の考案にあっては、複数のＩＣカード１７を収納して、折り畳んで収納することができる財布１０として使用することができる。
また、上記札入れ部２４において、紙幣を収納することができ、かつ、ＩＣカード１７を電磁波を遮断した状態で収納することができる。
【００２７】
請求項１０記載の考案にあっては、上記札入れ部２４には、開口部４２を開閉可能に被覆しうるフラップ部２５が設けられ、上記フラップ部２５の内側には上記内装材２０が設けられていることを特徴とする。
【００２８】
従って、請求項１０記載の考案にあっては、札入れ部２４内に収納したＩＣカード１７を外部の電磁波から遮蔽した状態で収納することができる。
【００２９】
請求項１１記載の考案にあっては、上記カード収納部１８は上記内装材２０により形成されていることを特徴とする。  
【００３０】
従って、請求項１１記載の考案にあっては、上記カード収納部１８に収納したＩＣカード１７を外部の電磁波から遮蔽した状態で収納することができる。
【００３１】
請求項１２記載の考案にあっては、上記札入れ部２４の背面側には上記カードを収納可能な収納部１５が設けられ、上記収納部１５を画成する長さ方向両端部は上記内装材２０により被覆されていることを特徴とする。
【００３２】
従って、請求項１２記載の考案にあっては、上記収納部１５内にＩＣカード１７を収納した場合には、上記ＩＣカード１７を外部の電磁波から遮蔽した状態で収納することができる。
また、長さ方向両端部を介して侵入する電磁波を遮断することができる。
【００３３】
請求項１３記載の考案にあっては、上記フラップ部には、上記表面側外皮材２７の厚さ寸法と略同一の厚さ寸法を有するスペーサー２９を介して開口部２１を開閉可能に被覆しうるように形成されていることを特徴とする。
【００３４】
従って、請求項１３記載の考案にあっては、上記カードケース１１に設けられているフラップ部２３は、上記スペーサー２９を介して開閉され、上記フラップ部２３が上記スペーサー２９を介して折曲形成されることから、上記フラップ部２３に対して、開口部２１を閉止しうる形状の剛性を保持させることができ、より確実に開口部２１を閉止することができる。
従って、請求項１３記載の考案にあっては、上記開口部２１は、上記スペーサー２９を介して形成されているフラップ部により有効に電磁波をシールドされることから、上記カードケース１１内にＩＣチップを備えたＩＣカード１７等の電子情報格納媒体１３を収納した場合には、上記カード等を電磁波から有効に遮断して収納することができる。
【００３５】
請求項１４記載の考案にあっては、上記収納部１５は、電磁波をシールドしうる素材からなる袋体３０と、この袋体３０の開口部３１に取り付けられたファスナー部３２とにより構成され、上記ファスナー部３２は、金属製のファスナー５４と、このファスナー５４が固定された上記素材からなるファスナー固定片３３とを有することを特徴とする。
【００３６】
従って、請求項１４記載の考案にあっては、上記袋体３０は、電磁波をシールドしうる素材によって形成されていることから、上記袋体３０内にＩＣチップを備えたＩＣカード１７等の電子情報格納媒体１３を収納した場合には、上記カード等を電磁波から遮断して収納することができる。
また、上記開口部３１には、金属製のファスナー５４が形成されていることから、上記金属により、電磁波を反射することができるとともに、上記ファスナー固定片３３は、電磁波をシールドしうる素材により形成されていることから、上記開口部３１において電磁波の漏洩を防ぐことができる。
【００３７】
請求項１５記載の考案にあっては、上記袋体には、上記ファスナー部３２を被覆し、電磁波をシールドしうるフラップ部８１，８１が設けられていることを特徴とする。
【００３８】
従って、請求項１５記載の考案にあっては、上記ファスナー部のみならず、上記フラップ部８１，８１により上記開口部３１ｂを被覆しうることから、上記開口部３１ｂにおいて、より確実に電磁波の漏洩を防ぐことができる。
【００３９】
請求項１６記載の考案にあっては、上記袋体は長さ方向を有する開口部を有し、上記ファスナー部は、上記開口部において長さ方向に沿って、上記開口部の幅方向両側に対向して配置された一対のスライドガイド部と、上記一対のスライドガイド部に係合して配置され、適宜の部位において固定可能にスライドさせうるスライド部と、上記スライド部に固定され上記一対のスライドガイド部の間を長さ方向に沿って遮蔽しうる遮蔽部材とを有し、上記ファスナー部は袋体内方を電磁的にシールドしうるように形成されていることを特徴とする。
【００４０】
従って、請求項１６記載の考案にあっては、上記ファスナー部は、袋体内方を電磁的にシールドしうるように形成されていることから、上記袋体の内方に収納されたＩＣカード等の電子情報格納媒体を外部の電磁波からシールドすることができ、電磁波の漏洩を防ぐことができる。
【００４１】
請求項１７記載の考案にあっては、上記一対のスライドガイド部には、所定間隔をおいて連続して設けられた係止凹部が互いに内方に向かい合うように形成されると共に、上記スライド部には、上記ガイド部に設けられた係止凹部に対して付勢されて係止しうるように形成された係止凸部が設けられ、上記スライド部には、上記係止凹部に対する上記係止凸部の付勢力を保持しうるように形成されたロック部が形成されていることを特徴とする。
【００４２】
従って、請求項１７記載の考案にあっては、上記係止凹部と係止凸部が互いに係合されることにより、上記ファスナー部を適宜の場所で固定することができる。
また、上記スライド部に設けられたロック部により、上記係止凹部と係止凸部の係合状態を保持することができることから、不用意に開口部が開口することを防止することができ、開口した開口部を介して電磁波が漏洩することを防止することができる。
【００４３】
請求項１８記載の考案にあっては、上記電子情報格納媒体１３は、ＩＣチップを有するカード１７であると共に、上記収納部１５は洋服のポケット３４に形成されたカード収納部１８であって、上記カード収納部１８は、上記カード１７が埋没する状態で収納しうるように構成されていることを特徴とする。
【００４４】
従って、請求項１８記載の考案にあっては、上記洋服のポケット３４内にカード１７を収納することにより、上記カード１７を電磁波から遮断した状態で収納することができる。
【００４５】
請求項１９記載の考案にあっては、上記電子情報格納媒体１３は携帯電話３５であることを特徴とする。
【００４６】
従って、請求項１９記載の考案にあっては、上記携帯電話３５を電磁的に外部からシールドすることができる。
【００４７】
請求項２０記載の考案にあっては、上記電子情報格納媒体１３は腕時計３６であることを特徴とする。
【００４８】
従って、請求項２０記載の考案にあっては、上記腕時計３６を電磁的に外部からシールドすることができる。
【００４９】
請求項２１記載の考案にあっては、上記フラップ部２３には、上記開口部２１を閉止状態で保持しうる係止部６４が形成されている。
【００５０】
従って、請求項２１記載の収納構造にあっては、上記フラップ部２３が不意に開口することを防止することができ、上記開口した開口部２１から電磁波が漏出することを防止することができる。
【考案の効果】
【００５１】
請求項１記載の電子情報格納媒体１３の収納構造にあっては、上記収納部１５内に情報格納媒体１３を収納した場合には、上記情報格納媒体１３を外部からの電磁的作用に対しシールドしうることから、悪意の第三者が上記収納部１５の外方からカードリーダー等の情報読み取り手段を用いて情報の窃取を試みた場合であっても、上記電子情報格納媒体１３に対する電磁波がシールドされる。
このため、上記電子情報格納媒体１３に対し情報の窃取に必要な電力を与えることができず、上記電子情報格納媒体１３からの情報の漏洩を防止することができる。
【００５２】
請求項２記載の収納構造は、財布１０に形成されている上記カード収納部１８内にＩＣカード１７を収納した場合にあっては、上記ＩＣカード１７が上記収納部１５内に埋没する状態で収納しうることから、上記ＩＣカード１７を電磁的に有効にシールドすることができる。
このため、悪意の第三者が財布の外部からカードリーダー等のＩＣカード読み取り手段を用いて情報の窃取を試みた場合であっても、上記ＩＣカードに対し、情報の窃取に必要な電力を与えにくいことから、上記ＩＣカードからの情報の漏洩を防止することができる。
【００５３】
請求項３記載の収納構造は、カードケース１１に形成されている上記カード収納部１８内にＩＣカード１７を収納した場合にあっては、上記ＩＣカード１７が上記カード収納部１８内に埋没する状態で収納しうることから、上記ＩＣカード１７を電磁的に有効にシールドすることができる。
このため、悪意の第三者がカードケースの外部からカードリーダー等のＩＣカード読み取り手段を用いて情報の窃取を試みた場合であっても、上記ＩＣカードに対し、情報の窃取に必要な電力を与えにくいことから、上記ＩＣカードからの情報の漏洩を防止することができる。
【００５４】
請求項４記載の収納構造は、手帳に形成されている上記カード収納部１８内にＩＣカード１７を収納した場合にあっては、上記ＩＣカード１７が上記カード収納部１８内に埋没する状態で収納しうることから、上記ＩＣカード１７を電磁的に有効にシールドすることができる。
このため、悪意の第三者が財布の外部からカードリーダー等のＩＣカード読み取り手段を用いて情報の窃取を試みた場合であっても、上記ＩＣカード１７に対し、情報の窃取に必要な電力を与えにくいことから、上記ＩＣカード１７からの情報の漏洩を防止することができる。
【００５５】
請求項５記載の収納構造にあっては、上記内装材２０は、電磁波をシールドしうる素材により形成され、収納部１５を形成する外皮材１９の全域に亘って設けられていることから、
上記収納部内１５にＩＣカード等の電子情報格納媒体１３を収納した場合には、上記電子情報格納媒体１３を電磁波から有効に遮断することができる。
【００５６】
請求項６記載の収納構造にあっては、上記収納部１５の端部２２において、上記内装材２０，２０同士が当接して固定されていることから、上記収納部１５の端部２２において、内装材２０，２０により、電磁的にシールドすることができる。
収納部１５の端部２２において、外皮材１９，１９同士を当接させた状態で固定させた場合には、外皮材１９の内側面部に設けられた内装材２０，２０間に間隙が形成され、端部２２は、充分に電磁的にシールドされない。
【００５７】
しかしながら、本請求項記載の考案においては、内装材２０，２０同士が当接した状態で固定されていることから、収納部１５の端部２２において有効に電磁的にシールドされ、ＩＣカードリーダー等の情報読み取り手段を用いた場合であっても、上記端部２２を介して電磁波がＩＣカードに対し、作用することを防ぐことができ、上記収納部１５に収納したＩＣカード等の電子情報格納媒体１３からの重要情報の漏洩を防止することができ、不正アクセスによる重要情報の不正窃取を防止することができる。
【００５８】
請求項７記載の収納構造にあっては、上記カード収納部１８には、開口部２１を開閉可能に被覆しうるフラップ部２３が形成されていることから、上記開口部２１を閉止することができ、上記フラップ部２３の内側には上記内装材２０が設けられていることから、上記開口部２１を介して電磁波が漏洩することを防止することができる。
このため、ＩＣカードリーダー等の情報読み取り手段を用いた場合であっても、上記開口部２１を介して上記カード収納部１８内に収納したＩＣカード１７に対し、情報の窃取に必要な電力を与えることができず、ＩＣカード１７内に有する重要情報の不正窃取を防止することができる。
【００５９】
請求項８記載の収納構造にあっては、上記カード収納部１８は長さ方向に沿って複数形成されていることから、財布１０内にＩＣカード１７を複数枚収納することができる。
また、上記夫々の収納部１５を形成している内装材２０が財布１０の後端に至るまで厚さ方向に重複して設けられている。
したがって、後端側に設けられている収納部１５内にＩＣカード１７を収納した場合には、内装材２０が複数重複して形成されていることから、重ね合わせられている上記内装材２０により、有効に電磁波を遮断することができる。
【００６０】
また、上記内装材２０が財布１０後端に至るまで厚さ方向に重複して設けられていることから、先端部側から後端部側に至るに従って、電磁波の遮断効果が高まり、上記内装材２０が最も多く重複して形成されている後端部側収納部４１においては、外方からの電磁波を遮断する効果が最も大きくなる。
【００６１】
このため、大きな出力のＩＣカードリーダー等の情報読み取り手段の電磁波が作用した場合であっても、上記開口部２１を介して上記カード収納部１８内に収納したＩＣカード１７に対し、情報の窃取に必要な電力を与えることができず、ＩＣカード１７内に存する重要情報の不正窃取を防止することができる。
【００６２】
請求項９記載の収納構造にあっては、折り畳み可能に形成され、幅方向一方側には複数のカード収納部１８が設けられていることから、電磁波からシールドしうる状態で複数のＩＣカード１７を収納することができる。
【００６３】
また、幅方向他方側には、上記収納部１５を構成する札入れ部２４が形成され、電磁波をシールドしうる内装材２０が貼設されていることから、上記札入れ部２４内にＩＣカード１７を収納した場合にあっては、上記札入れ部２４内に収納した上記ＩＣカード１７に対し、情報の窃取に必要な電力を与えることができず、ＩＣカード１７内に存する重要情報の不正窃取を防止することができる。
【００６４】
請求項１０記載の収納構造にあっては、上記札入れ部２４の開口部４２は、内装材が内側に貼設されているフラップ部２５により被覆されているため、上記開口部４２を介する電磁波の漏洩を防止することができる。
したがって、悪意ある第三者が、ＩＣカードリーダーを用いて、ＩＣカード内に有する重要情報の窃取を試みた場合であっても、上記収納部１５に収納したＩＣカードに対し、上記開口部４２を介して情報の取得に必要な電力を与えることができない。従って、ＩＣカード内に有する重要情報の不正窃取を防止することができる。
【００６５】
請求項１１記載の収納構造にあっては、上記札入れ部２４の内方に設けられているカード収納部１８は内装材２０により形成されていることから、上記カード収納部１８内にＩＣカード１７を収納した場合にあっては、上記札入れ部２４に設けられている内装材２０による、電磁波をシールドする効果に加えて、上記カード収納部１８の内装材２０により電磁波をシールドすることができる。
【００６６】
したがって、上記札入れ部２４内のカード収納部１８に収納したＩＣカード１７に対する電磁的なシールド作用を向上することができる。
従って、悪意ある第三者が、ＩＣカードリーダー等の電磁的読み取り手段を用いて、ＩＣカード内に有する重要情報の窃取を試みた場合であっても、上記カード収納部１８に収納したＩＣカード１７に対し、情報の取得に必要な電力を与えることができない。
【００６７】
請求項１２記載の収納構造にあっては、収納部１５ｃは、上記札入れ部２４の背面側に設けられていることから、上記財布１０を二つ折りに折り畳んだ場合には、上記収納部１５ｃは、財布１０の厚さ方向において上記カード収納部１８及び上記札入れ部２４の裏面側に配置されることとなる。
従って、上記収納部１５ｃは、上記カード収納部１８及び上記札入れ部２４に設けられている多数の内装材２０により、上記札入れ部２４の表面側方向から発せられる電磁波に対し、シールドしうる状態でカードを収納することができる。
【００６８】
また、上記収納部１５を画成する長さ方向両端部には、上記内装材２０により被覆されていることから、上記収納部１５の長さ方向両端部側から発せられる電磁波に対し、シールドしうる状態でカードを収納することができる。
【００６９】
従って、上記財布１０を上記収納部１５ｃが身体側に配置されるように上着などのポケットに収納した場合には、悪意ある第三者が、ＩＣカードリーダー等の電磁的読み取り手段の電磁波出力を上げて、ＩＣカード内に有する重要情報の窃取を試みた場合であっても、上記収納部１５ｃの前方に多数の内装材１8が配置されていることから、収納部１５に収納したＩＣカードに対し、情報の取得に必要な電力を与えることができず、ＩＣカード１７内の重要情報の窃取を防ぐことができる。
【００７０】
請求項１３記載の収納構造にあっては、上記裏面側外皮材２８の先端部には、上記表面側外皮材２７の厚さ寸法と略同一の厚さ寸法を有するスペーサー２９を介してフラップ部２３が設けられていることから、上記カードケース１１に設けられているフラップ部２３は、上記スペーサー２９を介して開閉され、上記フラップ部２３が上記スペーサー２９を介して折曲形成されることから、上記フラップ部２３に対して、開口部２１を閉止しうる形状の剛性を保持させることができ、より確実に上端部４４を閉止することができる。
したがって、上記フラップ部が、上記表面側外皮材２７に当接することによる外方へのフラップ部２３の開口を防止することができる。
【００７１】
従って、上記フラップ部２３が開口されることによる、上記フラップ部２３と上記表面側外皮材２７との間に生ずる間隙の形成を防ぐことができ、上記間隙を介する電磁波の進入を遮断することができ、上記カードケース１１に収納したＩＣカードに対し、情報の窃取に必要な電力を与えることができない。
上記間隙を介して行われる、ＩＣカード内に有する重要情報の不正窃取を防止することができる。
【００７２】
請求項１４記載の収納構造にあっては、上記収納部１５は、電磁波をシールドしうる素材からなる袋体３０により形成されていることから、上記袋体３０内にＩＣカード等の電子情報格納媒体１３を収納した場合には、上記電磁波をシールドしうる素材によって電磁波は遮断され、上記電子情報格納媒体１３に対し、情報の窃取に必要な電磁波を供給することができず、上記電子情報格納媒体１３から生ずる重要情報の漏洩を防止することができる。
【００７３】
上記ファスナー部３２は、電磁波をシールドしうる素材からなるファスナー固定片３３によって形成されていることから、上記開口部３１を介して進入する電磁波を遮断することができる。
また、ファスナー部３２を構成するファスナー５４は金属により形成されていることから、上記金属により電磁波を反射することができる。
このことから、ＩＣカードリーダー等の情報読み取り手段を用いた場合であっても、上記袋体３０に収納したＩＣカード等の電子情報格納媒体１３からの重要情報の漏洩を防止することができ、不正アクセスによる重要情報の不正窃取を防止することができる。
【００７４】
請求項１５記載の収納構造にあっては、上記収納部は、上記ファスナー部３２ｂのみならず、上記フラップ部８１，８１によって被覆されていることから、ファスナー歯部５４ａ，５４ａ間に生ずる隙間を介して作用する電磁波をも遮断することができる。
このことから、ＩＣカードリーダー等の情報読み取り手段を用いた場合であっても、上記袋体３０に収納したＩＣカード等の電子情報格納媒体１３からの重要情報の漏洩を防止することができ、不正アクセスによる重要情報の不正窃取を防止することができる。
【００７５】
請求項１６記載の収納構造にあっては、上記収納部は、閉口時においては、上記ファスナー部に設けられた、上記遮蔽部材により外部の電磁波から遮蔽されるため、上記収納部内にＩＣカード等の電子情報格納媒体を収容した場合には、ＩＣカードリーダー等の情報読み取り手段を用いた場合であっても、上記袋体３０に収納したＩＣカード等の電子情報格納媒体１３からの重要情報の漏洩を防止することができ、不正アクセスによる重要情報の不正窃取を防止することができる。
【００７６】
請求項１７記載の収納構造にあっては、上記スライド部８８に設けられた係止凸部８７と、上記スライドガイド部８５に設けられた係止凹部８６とが互いに係合することにより、上記ファスナー部３２ｃを適宜位置で固定することができ、使用者の使用形態に合致した開口部の大きさを保持することができる。
また、上記スライド部８８には、ロック部９２が形成されていることから、上記上記ファスナー部が不用意に開口することを防止することができる。
したがって、上記開口した箇所を介して電磁波が漏洩することを未然に防ぐことができる。
【００７７】
請求項１８記載の収納構造にあっては、洋服のポケット３４に設けられたカード収納部１８内にＩＣチップを有するＩＣカード１７等の電子情報格納媒体１３を収納した場合には、上記ＩＣカード１７を外部の電磁波から遮蔽しうることから、悪意の第三者が洋服のポケット３４の外方からカードリーダー等の情報読み取り手段を用いて情報の窃取を試みた場合であっても、上記電磁波がシールドされる。
このため、上記ＩＣカード１７に対し情報の窃取に必要な電力を与えることができず、上記ＩＣカード１７からの情報の漏洩を防止することができる。
【００７８】
請求項１９記載の収納構造にあっては、電子情報処理装置との間において非接触状態で電磁波により電子商取引等の個人に関する情報の送受信を行いうる携帯電話３５を外部からの電磁的作用に対しシールドしうる。
したがって、悪意の第三者が上記収納部１５の外方から情報読み取り手段を用いて情報の窃取を試みた場合であっても、上記携帯電話３５に対する電磁波がシールドされる。
このため、上記携帯電話３５に対し情報の窃取に必要な電力を与えることができず、上記携帯電話３５からの情報の漏洩を防止することができる。
【００７９】
請求項２０記載の収納構造にあっては、電子情報処理装置との間において非接触状態で電磁波により電子商取引等の個人に関する情報の送受信を行いうる腕時計３６を外部からの電磁的作用に対しシールドしうる。
したがって、悪意の第三者が上記収納部１５の外方から情報読み取り手段を用いて情報の窃取を試みた場合であっても、上記腕時計３６に対する電磁波がシールドされる。
このため、上記腕時計３６に対し情報の窃取に必要な電力を与えることができず、上記腕時計３６からの情報の漏洩を防止することができる。
【００８０】
請求項２１記載の収納構造にあっては、上記フラップ部２３を介して上記開口部２３を開閉可能に取り付けられ、ＩＣカード１７等の収納時には上記フラップ部２３閉止状態で維持することができる。
【００８１】
従って請求項２１記載の考案にあっては、上記フラップ部２３を閉止状態で維持することができることから、上記フラップ部２３が不意に開口することを抑止することができ、開口した開口部２１から電磁波が漏出することを防止することができる。
【考案を実施するための最良の形態】
【００８２】
以下、添付図面に示す実施の形態に基づき、本考案にかかる収納構造を詳細に説明する。
本実施の形態に係る収納構造は、図２に示すように、電子情報処理装置との間において非接触状態で電磁波により情報の送受信を行いうる電子情報格納媒体１３を、電磁的に外部からシールドする状態で収納しうる収納部１５を有する。
【００８３】
また、上記電子情報格納媒体１３は、ＩＣチップを有するカード１７であると共に、上記収納部１５は財布１０に形成されたカード収納部１８であって、上記カード収納部１８は、上記カード１７が埋没する状態で収納しうるように構成されている。
【００８４】
また、上記電子情報格納媒体１３は、ＩＣチップを有するカード１７であると共に、上記収納部１５はカードケース１１に形成されたカード収納部１８であって、上記カード収納部１８は、上記カード１７が埋没する状態で収納しうるように構成されている。
【００８５】
また、上記電子情報格納媒体１３は、ＩＣチップを有するカード１７であると共に、上記収納部１５は手帳に形成されたカード収納部１８であって、上記カード収納部１８は、上記カード１７が埋没する状態で収納しうるように構成されている。
【００８６】
また、上記収納部１５は、外皮材１９と、上記外皮材１９の内側面部に設けられた内装材２０とにより構成され、上記内装材２０は、収納部１５を形成する外皮材１９の全域に亘って設けられ、電磁波をシールドしうる素材により形成されている。
【００８７】
また、上記収納部１５を形成する端部２２は、上記内装材２０，２０が互いに当接しうるように固定されている。
【００８８】
また、上記カード収納部１８には、開口部２１を開閉可能に被覆しうるフラップ部２３が設けられ、上記フラップ部２３の内側には上記内装材２０が設けられている。 
【００８９】
また、上記財布１０は、札入れとして形成され、複数の上記カード収納部１８を有し、上記複数の各カード収納部１８には、先端部側収納部４０から後端部側収納部４１にかけて、夫々、上記各カード収納部１８を形成する内装材２０が財布１０後端に至るまで厚さ方向に重複して設けられている。
【００９０】
また、上記財布１０は、平面長方形状に形成され、展開状態においては長方形状に形成されると共に幅方向に沿って折り畳み可能に形成され、幅方向一方側には上記複数のカード収納部１８が長さ方向に沿って設けられる一方、幅方向他方側には上記収納部１５を構成する札入れ部２４が設けられ、上記札入れ部２４内にはカード収納部１８が設けられている。
【００９１】
また、上記札入れ部２４には、開口部４２を開閉可能に被覆しうるフラップ部２５が設けられ、上記フラップ部２５の内側には上記内装材２０が設けられている。
【００９２】
また、上記カード収納部１８は上記内装材２０により形成されている。  
【００９３】
また、上記札入れ部２４の背面側には上記カードを収納可能な収納部１５が設けられ、上記収納部１５を画成する長さ方向両端部は上記内装材２０により被覆されている。
【００９４】
また、上記フラップ部には、上記表面側外皮材２７の厚さ寸法と略同一の厚さ寸法を有するスペーサー２９を介して開口部２１を開閉可能に被覆しうるように形成されている。
【００９５】
また、上記収納部１５は、電磁波をシールドしうる素材からなる袋体３０と、この袋体３０の開口部３１に取り付けられたファスナー部３２とにより構成され、上記ファスナー部３２は、金属製のファスナー５４と、このファスナー５４が固定された上記素材からなるファスナー固定片３３とを有する
【００９６】
また、上記電子情報格納媒体１３は、ＩＣチップを有するカード１７であると共に、上記収納部１５は洋服のポケット３４に形成されたカード収納部１８であって、上記カード収納部１８は、上記カード１７が埋没する状態で収納しうるように構成されている。
【００９７】
また、上記電子情報格納媒体１３は携帯電話３５である。また、上記電子情報格納媒体１３は腕時計３６である。
【００９８】
また、上記フラップ部２３には、上記開口部２１を閉止状態で保持しうる係止部６４が形成されている。
【実施例】
【００９９】
図１、図２は、本考案の実施例にかかる収納構造を有する財布１０を示したものである。
上記財布１０は、図２に示すように、上記財布１０内に収納した非接触型ＩＣカード等の電子情報格納媒体１３を、悪意の第三者による外部からの不正アクセスから守り、上記カード内に有する重要情報の漏洩を防ぐ収納部１５ａ，１５ｂ，１５ｃを有するＩＣカード１７の収納構造に係り、特に外方からの電磁波を介して行われる情報の窃取によるデータの漏洩を防ぐことができる。
【０１００】
上記財布１０は、図１に示すように、全体側面長方形状に形成され、図２に示すように、展開状態においては、上記財布１０の幅方向に沿って形成されている折り曲げ部４６を介して、幅方向に沿って折り畳み可能に形成されており、展開状態においては、平面長方形となる。
【０１０１】
図２に示すように、上記財布１０の幅方向の一方側には、複数のカード収納部１８ｆ，１８ｇ，１８ｈ，１８ｉ，１８ｊ，１８ｋにより形成されている収納部１５ａが設けられ、幅方向の他方側には、収納部１５ｂを有する札入れ部２４が設けられている。
【０１０２】
図３に示すように、上記収納部１５ａを形成する複数のカード収納部１８ｆ，１８ｇ，１８ｈ，１８ｉ，１８ｊ，１８ｋは、革からなる外皮材１９ａ、１９ｂと、上記外皮材１９ａ、１９ｂの内側面側の全域に亘って設けられた電磁シールド素材からなる内装材２０ａ，２０ｂ，２０ｃ，２０ｄ，２０ｅ，２０ｆ，２０ｇとが縫合されて形成されている。
【０１０３】
上記カード収納部１８ｆ，１８ｇ，１８ｈ，１８ｉ，１８ｊ，１８ｋは、ＩＣカードがカード収納部１８ｆ，１８ｇ，１８ｈ，１８ｉ，１８ｊ，１８ｋ内に埋没する状態で収納しうるように形成され、上記カード収納部１８ｆ，１８ｇ，１８ｈ，１８ｉ，１８ｊ，１８ｋ内にＩＣカード１７を収納した場合にあっては、上記ＩＣカード１７を上記カード収納部１８ｆ，１８ｇ，１８ｈ，１８ｉ，１８ｊ，１８ｋの側方からは視認することができない寸法に形成されている。
【０１０４】
ＩＣカード１７は、一般に流通されている、いわゆるクレジットカードや、銀行のキャッシュカード等であり、図３に示すように、上記収納部１５ａを形成する各カード収納部１８ｆ，１８ｇ，１８ｈ，１８ｉ，１８ｊ，１８ｋの寸法は、一般的なＩＣカードの寸法よりも、大きい長さ寸法及び幅寸法に形成されている。
【０１０５】
本実施例にあっては、図２に示すように上記カード収納部１８ｆ，１８ｇ，１８ｈ，１８ｉ，１８ｊ，１８ｋの幅寸法Ｗ１は、上記ＩＣカード１７の幅寸法Ｗ２よりも大きい幅寸法に形成され、図３に示すように、上記カード収納部１８ｆ，１８ｇ，１８ｈ，１８ｉ，１８ｊ，１８ｋの長さ寸法Ｌ１は、図２に示すように、上記ＩＣカード１７の長さ寸法Ｌ２よりも大きい長さ寸法に形成されている。
【０１０６】
したがって、上記各カード収納部１８ｆ，１８ｇ，１８ｈ，１８ｉ，１８ｊ，１８ｋ内に、ＩＣカード１７を収納した場合にあっては、上記ＩＣカード１７は、上記カード収納部１８ｆ，１８ｇ，１８ｈ，１８ｉ，１８ｊ，１８ｋ内部に埋没した状態で収納されることから、ＩＣカードリーダーなどにより、上記財布１０の外方から、非接触の状態でＩＣカード内に存するデータの窃取が行うために必要な電磁波が与えられた場合であっても、上記ＩＣカードは、上記内装材２０ａ，２０ｂ，２０ｃ，２０ｄ，２０ｅ，２０ｆ，２０ｇにより覆われた収納部１５ａ内に収納されていることから、ＩＣカード内の情報の漏洩を防ぐことができる。
【０１０７】
図２に示すように、上記各カード収納部１８ｆ，１８ｇ，１８ｈ，１８ｉ，１８ｊ，１８ｋの上端部には幅方向に沿って、上記カード収納部１８ｆ，１８ｇ，１８ｈ，１８ｉ，１８ｊ，１８ｋの幅寸法Ｗ１と同一の幅寸法を有する各開口部２１ｆ，２１ｇ，２１ｈ，２１ｉ，２１ｊ，２１ｋが設けられている。
【０１０８】
図３は、図２におけるA-A'断面において、上記収納部１５ａの縦断面図を示し、図４は、図２におけるB-B'断面において、上記収納部１５ａの横断面形状を誇張して示す。
図３、図４に示すように、上記収納部１５ａを形成する、各カード収納部１８ｆ，１８ｇ，１８ｈ，１８ｉ，１８ｊ，１８ｋのうち、長さ方向の下端部２２ａ及び幅方向の端部２２ｂ，２２ｂにおいて、上記内装材２０ａは、長さ方向略中間部において上記内装材２０ｂに固定され、上記内装材２０ｂは、長さ方向略中間部において上記内装材２０ｃに固定され、上記内装材２０ｃは、長さ方向略中間部において上記内装材２０ｄに固定され、上記内装材２０ｄは、長さ方向略中間部において上記内装材２０ｅに固定され、上記内装材２０ｅは、長さ方向略中間部において上記内装材２０ｆに固定され、上記内装材２０ｆは、長さ方向略中間部において上記内装材２０ｇに固定され、上記収納部１５ａを形成する各内装材２０ａ，２０ｂ，２０ｃ，２０ｄ，２０ｅ，２０ｆ，２０ｇ同士が互いに固定して形成されている。
【０１０９】
上記各内装材２０ａ，２０ｂ，２０ｃ，２０ｄ，２０ｅ，２０ｆ，２０ｇ同士は、長さ方向両端部において固定糸４７を介して夫々縫合して結合されている。
【０１１０】
図３、図４に示すように、上記各カード収納部１８ｆ，１８ｇ，１８ｈ，１８ｉ，１８ｊ，１８ｋは、上記各内装材２０ａ，２０ｂ，２０ｃ，２０ｄ，２０ｅ，２０ｆ，２０ｇによって、両面が覆われるように形成されている。
すなわち、上記カード収納部１８ｆは、上記内装材２０ａ−２０ｂにより形成され、上記カード収納部１８ｇは、上記内装材２０ｂ−２０ｃにより形成され、上記カード収納部１８ｈは、上記内装材２０ｃ−２０ｄにより形成され、上記カード収納部１８ｉは、上記内装材２０ｄ−２０ｅにより形成され、上記カード収納部１８ｊは、上記内装材２０ｅ−２０ｆにより形成され、上記カード収納部１８ｋは、２０ｆ−２０ｇにより形成されている。
【０１１１】
図３、図４に示すように、上記収納部１５ａの各カード収納部１８ｆ，１８ｇ，１８ｈ，１８ｉ，１８ｊ，１８ｋの両面に形成されている各内装材２０ａ，２０ｂ，２０ｃ，２０ｄ，２０ｅ，２０ｆ，２０ｇは、上記収納部１５ａの先端部側収納部１８ｆから後端部側収納部１８ｋに至るまで厚さ方向に重複して設けられている。
【０１１２】
したがって、上記内装材２０ａ，２０ｂ，２０ｃ，２０ｄ，２０ｅ，２０ｆ，２０ｇは、図３に示すように、上記後端部側収納部１８ｋにおいては、厚さ方向において７枚の内装材２０ａ，２０ｂ，２０ｃ，２０ｄ，２０ｅ，２０ｆ，２０ｇが重複して設けられている。
上記カード収納部１８ｋを内方にして、上記財布１０を折り畳んで使用した場合には、上記カード収納部１８ｋは、上記全ての各内装材２０ａ，２０ｂ，２０ｃ，２０ｄ，２０ｅ，２０ｆ，２０ｇによって、電磁波が遮断されるように位置されることから、電磁波を遮蔽する効果が大きい。
【０１１３】
したがって、上記後端部側収納部１８ｋにカードを収納した場合にあっては、ＩＣカードリーダー等の情報読み取り手段からの一定の出力のの電磁波が放出された場合であっても、財布１０の表面Ａ側に対しては、７枚の内装材２０ａ，２０ｂ，２０ｃ，２０ｄ，２０ｅ，２０ｆ，２０ｇが配置されるため、これら７枚の内装材２０ａ，２０ｂ，２０ｃ，２０ｄ，２０ｅ，２０ｆ，２０ｇによって、電磁波は減衰され、上記カード収納部１８ｋ内に収納したＩＣカード１７に対し、情報の窃取に必要な電力を与えることができず、ＩＣカード１７内に存する重要情報の不正窃取を防止することができる。
【０１１４】
図３に示すように、上記各カード収納部１８ｆ，１８ｇ，１８ｈ，１８ｉ，１８ｊ，１８ｋを形成している各開口部２１ｆ，２１ｇ，２１ｈ，２１ｉ，２１ｊ，２１ｋの周縁端部においては、上記各開口部２１ｆ，２１ｇ，２１ｈ，２１ｉ，２１ｊ，２１ｋを補強しうるように形成されている補強外装材３７ｆ，３７ｇ，３７ｈ，３７ｉ，３７ｊ，３７ｋが形成されている。
上記補強外装材３７ｆ，３７ｇ，３７ｈ，３７ｉ，３７ｊ，３７ｋは、上記各カード収納部１８ｆ，１８ｇ，１８ｈ，１８ｉ，１８ｊ，１８ｋを形成している上記内装材２０ｂ、２０ｃ、２０ｄ、２０ｅ，２０ｆ，２０ｇの開口部側端部を所定の幅寸法に亘って被覆しうるように設けられている。
【０１１５】
図２、図３に示すように、上記収納部１５ａと上記外皮材１９ａとの間には、上記財布１０の長さ方向に沿って平面長方形状の隔壁材１６が形成されている。
上記隔壁材１６によって隔てられることにより、上記財布１０の長さ方向に沿って形成された開口部を有するポケット部５９，６０が夫々形成されている。
【０１１６】
上記内装材２０ａ，２０ｂ，２０ｃ，２０ｄ，２０ｅ，２０ｆ，２０ｇは、電磁波をシールドしうる柔軟性を有する布状の導電性素材により形成されている。
したがって、上記内装材２０ａ，２０ｂ，２０ｃ，２０ｄ，２０ｅ，２０ｆ，２０ｇは、非接触型ＩＣカード読み取り手段を有するカードリーダー等から発せられる電磁波を減衰又は遮断する機能を有する。
本実施例においては、厚さ110?を有し、CuとNiが含浸されているセーレン株式会社製の導電性ＰＥＴ織布（品番：Sui-10-70X）が使用されている。上記導電性織布は、ＰＥＴを基本素材として形成され、表面抵抗値0.03（Ω／ｓｑ）となるように形成されている。
【０１１７】
上記ＩＣカード１７は、非接触型ＩＣカードであって、カードリーダーなどの電子情報処理装置に対して所定間隔以内に位置させた場合には、上記カードリーダーに有するアンテナ回路からの電磁波を受け、上記ＩＣカード内に形成されているアンテナ回路を介して電力が発生し、上記起電力を介して上記電子情報処理装置との相互通信を行い、ＩＣカード１７内のデータの通信を行うように形成されている。
【０１１８】
図２に示すように、上記札入れ部２４は、上記財布１０の幅方向他方部において、上記財布１０の長さ方向に沿って形成されている。
【０１１９】
図６は、図５におけるC-C'断面における横断面図を示し、図６に示すように、上記札入れ部２４は、内側外皮材１９ｃと、上記内側外皮材１９ｃと外側外皮材１９ａとの間に配置固定されている内方側外皮材１９ｄとにより形成され、上記各外皮材１９ｃ、１９ｄの内面全域には、電磁波をシールドしうる内装材２０ｈが上記各外皮材１９ｃ、１９ｄに対し縫合固定されている。
【０１２０】
図５に示すように、上記札入れ部２４内には、上記札入れ部２４の長さ方向に沿って、電磁波をシールドしうる内装材２０ｉ，２０ｊ，２０ｋにより、上記内装材２０ｉ，２０ｊ，２０ｋの幅方向中央部において、固定糸４７により縫合されて画成された６つのカード収納部１８ｌ，１８ｍ，１８ｎ，１８ｏ，１８ｐ，１８ｑが形成されている。
上記内装材２０ｉ，２０ｊ，２０ｋは夫々、各開口部２１ｌ，２１ｍ，２１ｎ，２１ｏ，２１ｐ，２１ｑが段差を以て形成されるように、上記札入れ部２４の長さ方向に沿って、幅方向において所定の間隔寸法をあけて固定されている。
【０１２１】
図５に示すように、上記札入れ部２４の上記財布１０の折り畳み部４６側には、上記財布１０の長さ方向に沿って、紙幣を出入可能に形成されている開口部４２が形成されている。
【０１２２】
図５に示すように、上記札入れ部２４の開口部４２には、フラップ部２５が設けられ、このフラップ部２５は、上記内側外皮材１９ｃと、上記外側外皮材１９ａとの間において厚さ方向中間部に設けられたの内方側外皮材１９ｄに延設して設けられている外皮材１９ｅにより形成されている。
【０１２３】
上記フラップ部２５は、上記開口部４２に沿って、上記開口部４２を開閉可能に被覆しうるように、折り曲げ自在に形成されている。
図６に示すように、上記フラップ部２５を形成している上記内方側外皮材１９ｅの裏面全域には、上記外皮材１９ｄに固定されている内装材２０ｈに延設された内装材２０ｌが周縁部において縫合されて固定されている。
【０１２４】
したがって、上記札入れ部２４内にＩＣカード１７を収納した場合にあっては、上記開口部４２が上記フラップ部２５により遮蔽されるため、外部からの電磁波を有効にシールドすることができ、ＩＣカード１７内の情報の窃取を防ぐことができる。
【０１２５】
図５に示すように、上記フラップ部２５には、フック部材７０が設けられている。このフック部材７０は、フラップ部２５の裏面側の幅方向略中央部の係止凸部５１と、上記札入れ部２４の外皮材１９ｃに、上記係止凸部５１に対応して嵌まり込みうる係止凹部５２とにより形成されている。
したがって、上記係止凸部５１が上記係止凹部５２に嵌まり込むことにより、上記フラップ部２５により、上記札入れ部２４の開口部４２を閉止しうる。
このことにより、上記札入れ部２４内に収納した収納物の脱落を防止することができると共に、カード収納時には不用意に上記フラップ部２５が開き、上記開口部４２を開放することなく、外部から電磁波を有効にシールドすることができる。
【０１２６】
図５に示すように、上記札入れ部２４を画成する長さ方向両端部には、上記札入れ部２４内の収納容積を変更しうる札入れ襞部５０，５０が形成されている。
上記札入れ襞部５０，５０は、上記札入れ部２４を形成している上記外皮材１９ｃ，１９ｄの長さ方向両端部において、縫合して固定され、財布１０の厚さ方向において折り畳んで形成されている外皮材１９ｆ，１９ｆと、上記外皮材１９ｆ，１９ｆの内方において、上記外皮材１９ｆ，１９ｆを被覆するように形成されている内装材２０ｍ，２０ｍとにより形成されている。
【０１２７】
したがって、上記札入れ部２４は、上記内装材２０ｍ，２０ｍにより被覆されている札入れ襞部５０，５０を有することから、上記財布１０の長さ方向両端部において電磁波をシールドすることができる。
【０１２８】
図６、図７に示すように、上記札入れ部２４の背面側には、上記ＩＣカード１７を収納可能な収納部１５ｃが設けられている。
図７に示すように、上記収納部１５ｃを画成する長さ方向両端部には、上記収納部１５ｃの収納容積を変更しうる収納襞部５３，５３が形成されている。
上記収納襞部５３，５３は、外皮材１９ａと、上記札入れ部２４を形成している外皮材１９ｄの長さ方向両端部において、縫合して固定され、財布１０の厚さ方向において折り畳んで形成されている外皮材１９ｇ，１９ｇと、上記外皮材１９ｇ，１９ｇの内方において、上記外皮材１９ｇ，１９ｇを被覆するように形成されている内装材２０ｎ，２０ｎとにより形成されている。
【０１２９】
したがって、上記内装材２０ｎ，２０ｎにより被覆されている収納襞部５３，５３が形成されていることから、上記収納襞部５３，５３の長さ方向の両端部において電磁波をシールドすることができる。
【０１３０】
図６、図７に示すように、上記収納部１５ｃには、上記札入れ部２４に隣接して財布１０の長さ方向に沿って設けられたファスナー収納部５８が形成されている。
上記ファスナー収納部５８の上端部には、上記ファスナー収納部５８の長さ方向に沿って形成されている開口部を開閉可能に形成されているファスナー部８０が形成されている。
【０１３１】
次に、本考案にかかる収納構造の第二実施例を示す。
図８は、本考案の実施例にかかる収納構造を有するカードケース１１を示したものである。
【０１３２】
上記カードケース１１は、図８に示すように、上記カードケース１１内に収納した非接触型ＩＣカード等の電子情報格納媒体１３を、悪意の第三者による外部からの不正アクセスから守り、上記ＩＣカード１７内に有する重要情報の漏洩を防ぐ収納部１５ｄを有し、特に外方から電磁波を介して行われる情報の窃取によるデータの漏洩を防ぐことができる。
【０１３３】
図８に示すように、上記カードケース１１は、裏面側外皮材２８と、平面長方形状の表面側外皮材２７と、この表面側外皮材２７の裏面側の全域に設けられた上記内装材２０ｐと、上記裏面側外皮材２８の裏面側に設けられた上記内装材２０ｑとにより形成されている。
【０１３４】
上記収納部１５ｄの寸法は、一般的なＩＣカードの外形寸法よりも、大きい長さ寸法及び幅寸法に形成され、上記収納部１５ｄにＩＣカード１７を収納した場合にあっては、上記収納部１５ｄ内にカードを埋没して収納することができる。
【０１３５】
従って、本実施例にあっては、図８に示すように上記収納部１５ｄの幅寸法Ｌ４は、上記ＩＣカード１７の長さ寸法Ｌ５よりも大きい長さ寸法に形成され、上記収納部１５ｄの幅寸法Ｗ８は、上記ＩＣカード１７の幅寸法Ｗ９よりも大きい長さ寸法に形成されている。
【０１３６】
このことから、上記ＩＣカード１７を上記カードケース１１を形成する上記収納部１５ｄに収納した場合にあっては、上記ＩＣカード１７を内装材２０ｐ，２０ｑにより形成されている収納部１５ｄ内に埋没した状態で収納することができる。
【０１３７】
したがって、上記収納部１５ｄにより形成されているカード収納部１８ｒ内に、ＩＣカードを収納した場合にあっては、ＩＣカードリーダーなどにより、上記カードケース１１の外方から、ＩＣカード内に存するデータの窃取を行うために必要な電磁波が与えられた場合であっても、上記ＩＣカードは、上記内装材２０ｐ，２０ｑにより覆われた収納部１５ｄ内に完全に埋没した状態で収納されていることから、ＩＣカード内の情報の漏洩を防ぐことができる。
【０１３８】
図１１は、従来のカードケースの端部の縫合方法を示し、図１２は、図８のカードケース１１のE-E'断面における横断面図を示す。
【０１３９】
図１１に示すように、従来のカードケースの端部においては、表面側外皮材２７ａと、裏面側外皮材２８ａとは、互いに上記収納部１５ｄの内方に折曲されて、上記表面側外皮材２７ａと、裏面側外皮材２８ａとが互いに当接するようにして縫合されている。従って、上記表面側外皮材２７ａと、裏面側外皮材２８ａの夫々に形成されている各内装材２０ｐ、２０ｑは互いに離間した状態となり、上記各内装材２０ｐ、２０ｑ間において、上記表面側外皮材２７ａと、裏面側外皮材２８ａの各厚さ寸法分の間隙Ｗ３が形成される。
【０１４０】
これに対し、本考案におけるカードケースの端部は、図１２に示すように、上記表面側外皮材２７と裏面側外皮材２８とは互いに上記内装材２０ｐ，２０ｑを介して固定糸４７により縫合されて接合されている。
従って、上記内装材２０ｐ、２０ｑ同士は当接して接合されていることから、上記内装材２０ｐ、２０ｑ間には間隙が生ぜず、カードケース１１の端部における電磁波のシールドを確実に行うことができる。
【０１４１】
図８に示すように、上記収納部１５ｄには、上記ＩＣカード１７を上記収納部１５ｄ内に対し出入することができるように、上記収納部１５ｄの長さ方向に沿って、上記収納部１５ｄの幅寸法Ｌ４と略同一の幅寸法を有する開口部２１ａが設けられ、開口部２１を介してＩＣカード１７を出し入れすることができる。
【０１４２】
次に、本考案にかかる収納構造の第三実施例を示す。
図９は、本考案の実施例にかかる図８における収納構造を有するカードケース１１において、カードケース１１の開口部を開閉可能に被覆しうるフラップ部２３ａが形成されている収納構造を示したものである。図１０は、図９におけるD-D'断面における上記カードケース１１ａの縦断面図を示す。
以下、図８に示すカードケース１１と異なる箇所のみを説明する。
【０１４３】
上記カードケース１１ａは、図９に示すように、上記カードケース１１ａ内に収納した非接触型ＩＣカード等の電子情報格納媒体１３を、悪意の第三者による外部からの不正アクセスから守り、上記ＩＣカード１７内に有する重要情報の漏洩を防ぐ収納部１５ｅを有するＩＣカード１７の収納構造に係り、特に外方からの電磁波を介して行われる情報の窃取によるデータの漏洩を防ぐことができる。
【０１４４】
図９に示すように、上記カードケース１１ａは、平面長方形状の表面側外皮材２７ｂと、この表面側外皮材２７ｂの裏面側の全域に設けられた上記内装材２０ｔと、裏面側外皮材２８ｂと、上記裏面側外皮材２８ｂの裏面側に設けられた上記内装材２０ｕとにより形成されている。
【０１４５】
図９に示すように、上記収納部１５ｅにより形成されているカード収納部１８ｓの上端部４４には、上記収納部１５ｅの幅方向に沿って、上記収納部１５ｄの幅寸法と略同一の幅寸法を有する開口部２１ｂを有する。
【０１４６】
図９に示すように、上記裏面側外皮材２８ｂの上端部４４には、上記開口部２１ｂを開閉可能に被覆しうるフラップ部２３ａが設けられている。
図１０に示すように、上記フラップ部２３ａは、上記裏面側外皮材２８ｂに延設され、上記上端部４４において折り曲げて形成された外皮材１９ｈと、上記外皮材１９ｈの内面側の全域に形成されている内装材２０ｖとにより形成されている。
【０１４７】
従って、上記カードケース１１ａの収納部１５ｅ内にＩＣカード１７を収納した場合にあっては、電磁波が上記フラップ部２３ａにより遮断されるため、ＩＣカード１７内に有する情報の搾取を防ぐことができる。
【０１４８】
次に、本考案にかかる収納構造の第四実施例を示す。
図１４は、本考案の実施例にかかる図９における収納構造を有するカードケース１１ａにおいて、スペーサー２９を介して開口部を開閉可能に被覆しうるフラップ部２３ｂが形成されている収納構造を示したものである。図１５は、図１４のカードケース１１ｂのＦ-Ｆ'断面における縦断面図を示す。
以下、図９に示すカードケース１１ａと異なる箇所のみを説明する。
【０１４９】
上記カードケース１１ｂは、図１４に示すように、上記カードケース１１ｂに収納した非接触型ＩＣカード等の電子情報格納媒体を、悪意の第三者による外部からの不正アクセスから守り、上記ＩＣカード１７内に有する重要情報の漏洩を防ぐ収納部１５ｆを有するＩＣカード１７の収納構造に係り、特に外方からの電磁波を介して行われる情報の窃取によるデータの漏洩を防ぐことができる。
【０１５０】
図１４、図１５に示すように、上記カードケース１１ｂは、平面長方形状の表面側外皮材２７ｃと、この表面側外皮材２７ｃの裏面側の全域に設けられた上記内装材２０ｗと、裏面側外皮材２８ｃと、上記裏面側外皮材２８ｃの裏面側に設けられた上記内装材２０ｘとにより形成されている。
【０１５１】
図１４、図１５に示すように、上記収納部１５ｆにより形成されているカード収納部１８ｔの上端部４４ａには、開口部２１ｃが設けられている。
【０１５２】
図１５に示すように、上記裏面側外皮材２８ｃの上端部４４ａには、上記表面側外皮材２７ｃの厚さ寸法Ｗ６と略同一の厚さ寸法Ｗ７を有するスペーサー２９を介して表面側外皮材２７ｃの上端部４４ａに設けられて入る開口部２１ｃを開閉可能に被覆しうるフラップ部２３ｂが設けられている。
【０１５３】
上記フラップ部２３ｂは、上記裏面側外皮材２８ｃを所定の幅寸法に亘って上記表面側外皮材２７ｃ側へ折曲し、上記表面側外皮材２７ｃの上端部を所定幅寸法に亘って被覆しうるように設けられている。
【０１５４】
図１５に示すように、上記スペーサー２９は、上記裏面側外皮材２８ｃの先端折曲部６３において、上記裏面側外皮材２８ｃの裏面側に上記裏面側外皮材２８ｃの幅方向全域に沿って設けられ、上記フラップ部２３ｂは、上記スペーサー２９を介して折曲して上記表面側外皮材２７ｃの上端部を被覆するように形成されている。
上記スペーサー２９は、図１５に示すように、断面方形状に形成されている。
【０１５５】
一般に、上記裏面側外皮材２８ｃを単に先端部において、折曲して上記表面側外皮材２７ｃ上端部を被覆するフラップ部を形成した場合には、上記裏面側外皮材２８ｃは一箇所のみの折曲部位を以て折曲されることから、上記裏面側外皮材２８ｃが所定の剛性を有することにより、フラップ部２３ｂが素材の有する剛性により、折曲部位から上記表面側外皮材２７ｃの前方へやや拡開した状態となる場合が多い。
【０１５６】
しかしながら、本実施例にあっては、図１５に示すように、断面方形状に形成されたスペーサー２９の上端側頂部６４，６５に沿う形で、上記裏面側外皮材２８ｃに２箇所の折曲端部６６，６７が形成されて折り返され、フラップ部２３ｂが形成されていることから、上記２箇所の折曲端部６６，６７により、上記裏面側外皮材２８ｃの剛性を減衰した状態で折り返されて上記フラップ部２３ｂが形成されている。
その結果、上記フラップ部２３ｂが上記表面側外皮材２７ｃ前方に拡開しにくくなり、上記開口部２１ｃを有効に被覆することができる。
【０１５７】
このことから、上記カードケース１１ｂの収納部１５ｆ内にＩＣカード１７を収納した場合にあっては、フラップ部２３ｂによって電磁波が遮断されるため、ＩＣカード１７内に有する情報の漏洩を防止することができる。
【０１５８】
尚、図１６に示すように、上記フラップ部２３ｂには、フック部材６８が設けられてもよい。このフック部材６８は、フラップ部２３ｂの裏面側の幅方向略中央部の係止凸部７１と、上記表面側外皮材２７ｃに、上記係止凸部７１に対応して嵌まり込みうる係止凹部７２とにより形成されている。
【０１５９】
したがって、上記係止凸部７１が上記係止凹部７２に嵌まり込むことにより、上記フラップ部２３ｂにより、上記カードケース１１ｂの開口部２１ｃを閉止しうる。
このことにより、上記カードケース１１ｂ内に収納した収納物の脱落を防止することができると共に、カード収納時には不用意に上記フラップ部２３ｂが開き、上記開口部２３ｂを開放することなく、より確実に外部から電磁波を有効にシールドすることができる。
【０１６０】
次に、本考案にかかる収納構造の第五実施例を示す。
図１３は、本考案の実施例にかかる収納構造を有する袋体３０を示したものである。
【０１６１】
上記袋体３０は、図１３に示すように、収納部１５ｇ内に収納した非接触型ＩＣカード等の電子情報格納媒体１３を、悪意の第三者による外部からの不正アクセスから守り、上記電子情報格納媒体１３内に有する重要情報の漏洩を防ぐ収納部１５ｇを有する電子情報格納媒体１３の収納構造に係り、特に外方からの電磁波を介して行われる情報の窃取によるデータの漏洩を防ぐことができる。
【０１６２】
図１３に示すように、上記収納部１５ｇは、袋体３０と、上記袋体３０の開口部３１に取り付けられたファスナー部３２とにより構成されている。
【０１６３】
本実施例にあっては、図１３に示すように、上記袋体３０ａは、側面長方形状に形成されるとともに、電磁波をシールドしうる布状の導電性素材により形成されているシールド材５５により形成されている。
【０１６４】
図１３に示すように、上記袋体３０の上部には、上記袋体３０の幅方向に沿って上記ＩＣカード等の電子情報格納媒体１３を出入可能に形成されている開口部３１が形成されている。
【０１６５】
図１３に示すように、上記開口部３１には、上記開口部３１を開閉可能に形成されているファスナー部３２が設けられている。
上記ファスナー部３２は、金属製のファスナー５４と、このファスナー５４が固定されたファスナー固定片３３，３３とにより構成されている。
上記ファスナー５４は、歯部５４ａと、この歯部５４ａに歯合するスライダー５４ｂとにより構成されている。
【０１６６】
上記開口部３１においては、上記開口部３１の強度を補強しうる平面帯状の外皮帯材５７が上記開口部３１の周縁全域において形成されている。
【０１６７】
上記ファスナー固定片３３、３３は、テープ状に形成され、上記各ファスナー固定片３３，３３は、電磁波をシールドしうる上記布状の電導性素材により形成されている。
したがって、上記ファスナー５４は金属製であることから、電磁波を反射すると共に、上記ファスナー固定片３３，３３は電磁波をシールドすることから、上記袋体３０内に収納した電子情報格納媒体へ対する電磁波を遮断することができる。
【０１６８】
次に、本考案にかかる収納構造の第六実施例を示す。
図１７は、本考案の実施例にかかる図１３における収納構造を有する袋体３０ｂにおいて、袋体３０ａのファスナー部を被覆しうるフラップ部８１，８１が形成されている収納構造を示したものである。
以下、図１３に示す袋体３０ａと異なる箇所のみを説明する。
【０１６９】
上記袋体３０ｂは、図１７に示すように、上記収納部１５ｈ内に収納した非接触型ＩＣカード等の電子情報格納媒体を、悪意の第三者による外部からの不正アクセスから守り、上記ＩＣカード１７内に有する重要情報の漏洩を防ぐ収納部１５ｈを有するＩＣカード１７の収納構造に係り、特に外方からの電磁波を介して行われる情報の窃取によるデータの漏洩を防ぐことができる。
【０１７０】
図１７に示すように、上記収納部１５ｈは、袋体３０ｂと、上記袋体３０ｂの開口部３１ｂに取り付けられたファスナー部３２ｂとにより形成されている。
上記袋体３０ｂの上端部８２には、上記ファスナー部３２ｂを被覆し、電磁波をシールドしうるフラップ部８１，８１が形成されている。
【０１７１】
図１７に示すように、上記フラップ部８１，８１は、平面長方形状に形成され、上記フラップ部を形成している長さ方向一辺部８３、８３が、上記袋体３０ｂの上端部８２において、上記ファスナー部３２ｂの長さ方向に沿って設けられている。
【０１７２】
図１７に示すように、上記フラップ部８１，８１の幅寸法Ｗ１０は、上記開口部３１ｂの幅寸法の略半分の大きさの幅寸法に形成されている。
上記フラップ部８１，８１は、上記ファスナー部３２ｂの上方において、上記ファスナー部３２ｂと略平行に形成されて、上記フラップ部８１，８１を形成する長さ方向他辺部８４、８４同士が互いに当接するように形成され、上記ファスナー部３２ｂを視認不可能な状態で被覆しうるように形成されている。
【０１７３】
上記ファスナー部３２ｂは、電磁波をシールドしうる上記フラップ部８１，８１により覆われるため、図１３に示すように、上記ファスナー部３２を形成する歯部５４ａ，５４ａ間に生ずる隙間を介して作用する電磁波をも遮断することができる。
従って、上記袋体３０ｂの収納部１５ｈ内にＩＣカード１７を収納した場合にあっては、電磁波が上記フラップ部２３ａにより遮断されるため、ＩＣカード１７内に有する情報の搾取を防ぐことができる。
【０１７４】
上記収納部１５ｈ内にＩＣカード１７等を収納する場合には、上記フラップ部８１，８１を上方に開口すると共に、上記ファスナー部３２ｂを開口して、上記ＩＣカード１７等を収納することができる。
その後、上記ファスナー部３２ｂ及びフラップ部８１，８１を閉じることにより、上記収納部１５ｈ内に収納したＩＣカード１７等に対する電磁波を防ぎ、上記ＩＣカード等内の情報の漏洩を防止することができる。
【０１７５】
次に、本考案にかかる収納構造の第七実施例を示す。
図１８は、本考案の実施例にかかる図１３における収納構造を有する袋体３０ａにおいて、袋体３０ａのファスナー部の形状を変形した収納構造を示したものである。
以下、図１３に示す袋体３０ａと異なる箇所のみを説明する。
【０１７６】
袋体３０ｃは、図１８に示すように、上記収納部１５ｊ内に収納した非接触型ＩＣカード等の電子情報格納媒体を、悪意の第三者による外部からの不正アクセスから守り、上記ＩＣカード１７内に有する重要情報の漏洩を防ぐ収納部１５ｊを有するＩＣカード１７等の電子情報格納媒体の収納構造に係り、特に外方からの電磁波を介して行われる情報の窃取によるデータの漏洩を防ぐことができる。
【０１７７】
図１８に示すように、上記収納部１５ｊは、袋体３０ｃと、上記袋体３０ｃの開口部３１ｃに取り付けられた合成樹脂製のファスナー部３２ｃとにより形成されている。
【０１７８】
図１８に示すように、上記開口部３１ｃは平面長方形状に形成され、上記ファスナー部３２ｃは、上記開口部３１ｃにおいて長さ方向に沿って、上記開口部３１ｃの幅方向両側に対向して配置された一対のスライドガイド部８５，８５と、上記一対のスライドガイド部８５，８５に係合して配置され、適宜の部位において固定可能にスライドさせうるスライド部８８と、上記スライド部８８に固定され、上記一対のスライドガイド部８５，８５の間を長さ方向に沿って遮蔽しうる遮蔽部材８９とにより形成されている。
【０１７９】
図１８に示すように、上記スライドガイド部８５，８５は、所定間隔をおいて連続して設けられた係止凹部８６，８６が互いに内方に向かい合うようにして形成され、上記係止凹部８６，８６の下部には、上記スライドガイド部８５，８５の長さ方向に沿って形成されたスライド板部９６、９６が形成されている。
【０１８０】
図２１，図２２に示すように、上記スライド部８８は、スライド基部９０と、上記スライド基部９０の一端部から、互いに平行に形成されて延設された一対のアーム部９１，９１と、上記延設されたアーム部９１，９１先端外方へ膨出して設けられた係止凸部８７，８７と、上記係止凸部の付勢力を保持しうるロック部９２とにより形成されている。
上記係止凸部８７，８７は、上記スライドガイド部８５，８５に設けられた係止凹部８６、８６に対して付勢されて係止しうるように形成されている。
【０１８１】
図２１，図２２に示すように、上記ロック部９２は、上記スライド基部９０に対し、移動可能に設けられ、上記スライド基部９０に設けられたアーム部９１，９１間に挿入可能な保持片部９３を有している。  
図２１に示すように、上記アーム部９１，９１は可撓性を有することから、スライド部８８がスライドする際に上記係止凸部８７，８７が、上記スライドガイド部８５，８５に設けられている係止凹部８６に係合した状態から凸状部９８，９８を乗り越える際に、上記スライド部８８，８８の幅方向内方へ押されることにより弾性変形し、その後係止凹部８６，８６に係合する際に、互いに平行な状態に復帰しうるように構成されている。
【０１８２】
したがって、上記係止凸部８７、８７が上記係止凹部８６，８６に係合した状態で、上記ロック部９２の保持片部９３を上記アーム部９１，９１の間にスライドさせて配置した場合には、上記アーム部９１，９１が変形不可能な状態に固定できるため、上記スライド部８８をスライド不可能な状態にロックすることができる。
【０１８３】
図２０に示すように、上記スライド基部９０の両側面部には凹状部９７、９７が形成され、上記各凹状部９７，９７は、上記スライドガイド部８５、８５下部に設けられている上記スライド板部９６，９６スライド可能に係合している。
【０１８４】
図１９に示すように、上記遮蔽部材８９は、平板状の薄板部９４と、厚板部９５とにより形成され、上記薄板部９４と、厚板部９５とが互いに夫々の長さ方向において折り曲げ可能に帯状に形成されている。
【０１８５】
図２０に示すように、上記遮蔽部材８９の幅寸法Ｗ４は、上記スライドガイド部８５，８５間の間隔寸法Ｗ５よりも大きい幅寸法により形成されている。
図１９に示すように、上記遮蔽部材８９は、上記スライド基部９０の後端部側に配置され、上記開口部３１ｃの閉口時には図１８に示すように、上記遮蔽部材８９は、上記スライドガイド部８５，８５間に配置され、上記スライドガイド部８５，８５の間を上方から視認不可能な状態に閉止しうるように配置される。
【０１８６】
上記ファスナー部３２ｃは、CuとNiが含まれた合成樹脂により形成され、電磁波を減衰するように形成されている。
【０１８７】
したがって、上記開口部３１ｃは上記遮蔽部材８９により閉止されることから、上記収納部１５ｊ内にＩＣカード１７等の電子情報格納媒体を収納した場合には、外方からの電磁波を遮蔽し、より確実に外部から電磁波を有効にシールドすることができることから、上記ＩＣカード内の情報の漏洩を防止することができる。
【０１８８】
図１８に示すように、上記開口部３１ｃの開口時には、上記遮蔽部材８９は、上記スライド部８８と共に上記開口部３１ｃの長さ方向に沿って移動し、上記遮蔽部材８９の端部は、上記スライドガイド部８５，８５に延設され、上記開口部３１ｃの長さ方向端部において上記袋体３０ｃの一方の幅方向側面部内側に、高さ方向に沿って形成されているスライドガイド部９９，９９及び、上記スライドガイド部９９，９９に延設され、上記袋体３０ｃの高さ方向底面部において、上記袋体３０ｃの幅方向底面部内側に形成されているスライドガイド部１００，１００に沿って上記袋体３０ｃ内部に収納されるように形成されている。
上記遮蔽部材８９の長さ寸法は、上記スライドガイド部９９，９９及びスライドガイド部１００，１００の長さ寸法の総和と略同寸法に形成されている。
従って、上記遮蔽部材８９をスライドして、上記開口部３１ｃを開口した場合には、上記遮蔽部材８９は、上記スライドガイド部９９，９９と、上記スライドガイド部１００，１００とにより上記袋体３０ｃ内部に収納することができる。
【０１８９】
尚、図１７に示すように、上記フラップ部８１，８１は電磁波をシールドしうるように形成されているが、上記フラップ部８１，８１は外皮材と、上記外皮材の内面全域に形成された電磁波シールド素材からなる内装材により形成することができる。
この場合、外方より生ずる電磁波は、上記電磁波シールド素材からなる内装材により遮断されるため、上記袋体の収納部内にＩＣカード１７を収納した場合にあっては、ＩＣカード１７内に有する情報の漏洩を防ぐことができる。
【０１９０】
尚、上記各実施例には、本考案に係る収納構造を財布１０、カードケース１１，１１ａ，１１ｂ、袋体３０に適用した場合を例に説明したが、上記収納部を洋服のポケットに形成されたカード収納部として形成することができる。
この場合、上記カード収納部内に非接触型ＩＣカード等を収納した場合には、上記収納部に埋没していることから、ＩＣカード読み取り手段を有するカードリーダー等から発せられる電磁波を遮断し、上記カードから重要データが漏出されることを防止することができる。
【０１９１】
また、上記電子情報格納媒体は、電子情報処理装置等との間で非接触状態で電磁波により情報の送受信を行いうる携帯電話３５や、腕時計３６である場合にも、上記携帯電話３５及び腕時計３６の内部に有する重要なデータの漏出を防止することができる。
（実験例）
【０１９２】
以下に図２３〜図３４及び、表１〜１０により、上記実施例にかかる財布１０と、上記第三の実施例にかかるフラップ部２３ａが形成されているカードケース１１ａとの比較例により説明する。
【０１９３】
非接触型ＩＣカードは、カードリーダー等の電子情報処理装置に設けられているアンテナから送信される電磁波を、ＩＣカード内に設けられているアンテナコイルを介して受信するとともに、上記アンテナコイルにより、電磁誘導が行われることにより電力が発生し、この電力によって、ＩＣカード内に有するＩＣチップ等の機能が作動することによって、上記カードリーダーとの間において、相互通信を行うことが可能となる。
【０１９４】
一般的な非接触型ＩＣカードの電力の発生に必要な非接触型ＩＣカードの受信側の電圧は、2.0Vに設定されている。したがって、図２３に示す測定装置によって、上記ＩＣカードの受信電圧が2.0Ｖとなる際の上記カードリーダー等の電子情報処理装置となる送信側の送信電圧を測定したものである。  
【０１９５】
図２３に示すように、送信機６１をカードリーダーに想定すると共に、受信コイル６２をＩＣカードとして想定して本実施例に係る財布１０又はカードケース１１ｂ内に収納して上記財布１０又は、カードケース１１ａの、上記送信コイル６１から送信される送信電圧と、上記受信コイル６２で受信される受信電圧を測定することによって、試験を行った。
上記送信コイル６１の送信周波数は13.56MHzに設定されている。
【０１９６】
測定方法
１．図２５に示すように、上記受信コイル６２を、財布１０又は上記カードケース１１ａの収納部に入れずに、送信コイル６１に密着させて、受信コイル６２の出力電圧が2.0Vになる入力電圧を測定した。
２．図２６〜図３４に示すように、上記受信コイル６２を、上記財布１０に設けられている収納部１５ａ、１５ｂ及び、上記フラップ部２３ａを有するカードケース１１ａに設けられている収納部１５ｅに入れ、任意の入力電圧（最大100V）数点で受信コイル６２の出力電圧を測定した。
３．表１〜表１０に示すように、上記の測定結果から、受信コイル６２の出力電圧が2.0Vになる入力電圧を算出した。
４．表１〜表１０に示すように、上記受信コイル６２の出力電圧2.0V時における、財布１０又は上記カードケース１１ａの収納部に入れない状態との入力電圧の比率から減衰率を算出した。
【０１９７】
図２５は、上記受信コイル６２を収納部に収納していない状態における測定状態を示す。
上記実験の結果、表１に示すように、受信コイル６２の出力電圧が2.0Vになる送信コイル６１の入力電圧は0.776Vである。
【０１９８】
図２６は、上記カードケース１１ａの収納部１５ｄに受信コイル６２を収納すると共に、上記カードケース１１ａの裏面側に送信コイル６１を密着した状態で配置した状態における測定状態を示す。
上記実施例の結果、表２に示すように、受信コイル６２の出力電圧が2.0Vになる送信コイル６１の入力電圧は56.231Vである。
従って、減衰率は、(56.231/0.776)= 72.462 により求められ、受信コイル６２を収納部に収納していない状態と比較して、電磁波の減衰率は1/72.5となる。
【０１９９】
図２７は、上記財布１０の札入れ部２４に設けられているカード収納部１８ｐに受信コイル６２を収納すると共に、上記カードケース１１ａの裏面側に送信コイル６１を密着した状態で配置した状態における測定状態を示す。
上記実施例の結果、表３に示すように、受信コイル６２の出力電圧が2.0Vになる送信コイル６１の入力電圧は95.361Vである。
従って、減衰率は、95.361/0.776)= 122.889 により求められ、受信コイル６２を収納部に収納していない状態と比較して、電磁波の減衰率は1/122.9となる。
【０２００】
図２８は、上記財布１０の札入れ部２４に設けられているカード収納部１８ｎに受信コイル６２を収納すると共に、上記カードケース１１ａの裏面側に送信コイル６１を密着した状態で配置した状態における測定状態を示す。
上記実施例の結果、表４に示すように、受信コイル６２の出力電圧が2.0Vになる送信コイル６１の入力電圧は111.258Vである。
従って、減衰率は、(111.258/0.776)= 143.374 により求められ、受信コイル６２を収納部に収納していない状態と比較して、電磁波の減衰率は1/143.4となる。
【０２０１】
図２９は、上記財布１０の札入れ部２４に設けられているカード収納部１８ｌに受信コイル６２を収納すると共に、上記カードケース１１ａの裏面側に送信コイル６１を密着した状態で配置した状態における測定状態を示す。
上記実施例の結果、表５に示すように、受信コイル６２の出力電圧が2.0Vになる送信コイル６１の入力電圧は138.957Vである。
従って、減衰率は、(138.957/0.776)= 179.068 により求められ、受信コイル６２を収納部に収納していない状態と比較して、電磁波の減衰率は1/179.1となる。
【０２０２】
図３０は、上記財布１０の収納部１５ａのカード収納部１８ｋに受信コイル６２を収納すると共に、上記カードケース１１ａの裏面側に送信コイル６１を密着した状態で配置した状態における測定状態を示す。
上記実施例の結果、表６に示すように、受信コイル６２の出力電圧が2.0Vになる送信コイル６１の入力電圧は198.990Vである。
従って、減衰率は、(198.990/0.776)= 256.430 により求められ、受信コイル６２を収納部に収納していない状態と比較して、電磁波の減衰率は1/256.4となる。
【０２０３】
図３１は、上記財布１０の収納部１５ａのカード収納部１８ｊに受信コイル６２を収納すると共に、上記カードケース１１ａの裏面側に送信コイル６１を密着した状態で配置した状態における測定状態を示す。
上記実施例の結果、表７に示すように、受信コイル６２の出力電圧が2.0Vになる送信コイル６１の入力電圧は167.529Vである。
従って、減衰率は、(167.5290.776)= 215.888 により求められ、受信コイル６２を収納部に収納していない状態と比較して、電磁波の減衰率は1/215.9となる。
【０２０４】
図３２は、上記財布１０の収納部１５ａのカード収納部１８ｉに受信コイル６２を収納すると共に、上記カードケース１１ａの裏面側に送信コイル６１を密着した状態で配置した状態における測定状態を示す。
上記実施例の結果、表8に示すように、受信コイル６２の出力電圧が2.0Vになる送信コイル６１の入力電圧は164.131Vである。
従って、減衰率は、(164.131/0.776)= 211.509 により求められ、受信コイル６２を収納部に収納していない状態と比較して、電磁波の減衰率は1/211.5となる。
【０２０５】
図３３は、上記財布１０の収納部１５ａのカード収納部１８hに受信コイル６２を収納すると共に、上記カードケース１１ａの裏面側に送信コイル６１を密着した状態で配置した状態における測定状態を示す。
上記実施例の結果、表9に示すように、受信コイル６２の出力電圧が2.0Vになる送信コイル６１の入力電圧は159.697Vである。
従って、減衰率は、(159.697/0.776)= 205.795 により求められ、受信コイル６２を収納部に収納していない状態と比較して、電磁波の減衰率は1/205.8となる。
【０２０６】
図３４は、上記財布１０の収納部１５ａのカード収納部１８ｇに受信コイル６２を収納すると共に、上記カードケース１１ａの裏面側に送信コイル６１を密着した状態で配置した状態における測定状態を示す。
上記実施例の結果、表１０に示すように、受信コイル６２の出力電圧が2.0Vになる送信コイル６１の入力電圧は151.372Vである。
従って、減衰率は、(151.372/0.776)= 195.067 により求められ、受信コイル６２を収納部に収納していない状態と比較して、電磁波の減衰率は1/195.1となる。
【０２０７】
したがって、上記の実施例の結果、表６に示すように、電磁波に対する減衰率が最も大きい部位は、内装材２０ａ，２０ｂ，２０ｃ，２０ｄ，２０ｅ，２０ｆ，２０ｇの全てが重複して形成されている上記後端部側収納部１８ｋであることが判明した。
このことから、上記カード収納部１８ｋ内に、上記非接触型ＩＣカードを収納した場合にあっては、カードリーダー等から出力される電磁波の出力を上げた場合であっても、上記カード内から重要情報が漏出を防止することができる。
【産業上の利用可能性】
【０２０８】
本件考案は、収納部内に収納した非接触型ＩＣカード等の電子情報格納媒体を、悪意の第三者による外部からの不正アクセスから守り、上記カード内に有する重要情報の漏洩を防ぐ収納部を有するカードの収納構造に係り、特に外方からの電磁波を介して行われる情報の窃取によるデータの漏洩を防ぐことができる収納構造に適用することができるものである。
【図面の簡単な説明】
【０２０９】
【図１】本考案にかかる、収納構造を有する財布を折り畳んだ状態を示す全体斜視図である。
【図２】本考案にかかる、収納構造を有する財布を開いた状態を示す全体斜視図である。
【図３】図２における、A-A'断面において、収納部を長さ方向に沿ってカットした状態を示す縦断面図である。
【図４】図２における、B-B'断面において、収納部を幅方向に沿ってカットした状態を示す横断面図である。
【図５】本考案にかかる札入れ部に設けられたフラップを開口した状態を示す斜視図である。
【図６】図５における、C-C'断面図において、札入れ部を幅方向に沿ってカットした状態を示す横断面図である。
【図７】本考案にかかる、第二収納部を開口した状態を示す斜視図である。
【図８】本考案にかかる、収納構造を有するカードケースを示す全体斜視図である。
【図９】本考案にかかる、収納構造を有するカードケースにおいて、フラップ部が設けられている状態を示す全体斜視図である。
【図１０】図９における、D-D'断面図において、収納部を縦方向に沿ってカットした状態を示す縦断面図である。
【図１１】従来考案にかかる、収納部の端部の縫合状態を示す横断面図である。
【図１２】本考案にかかる、収納部の端部の縫合状態を示す横断面図である。
【図１３】本考案にかかる、収納構造を有するバッグを示す全体斜視図である。
【図１４】本考案にかかる、収納構造を有するカードケースにおいて、スペーサーが設けられている状態を示す全体斜視図である。
【図１５】図１４における、Ｆ-Ｆ'断面図において、収納部を縦方向に沿ってカットした状態を示す縦断面図である。
【図１６】図１４にかかる、収納構造を有するカードケースにおいて、フック部材が設けられている状態を示す全体斜視図である。
【図１７】図１３における袋体の開口部にフラップ部が形成されている状態を示す全体斜視図である。
【図１８】図１３におけるファスナー部を変形した他の実施例を示す全体斜視図である。
【図１９】図１８における収納構造を有する袋体において、ファスナー部の構造を示す斜視図である。
【図２０】図１８における、Ｇ-Ｇ'断面図において、ファスナー部横方向に沿ってカットした状態を示す横断面図である。
【図２１】図１８における収納構造を有する袋体において、ファスナー部のロック状態が解除された状態を示す斜視図である。
【図２２】図１８における収納構造を有する袋体において、ファスナー部がロックされた状態を示す斜視図である。
【図２３】本考案にかかる、収納構造の実験構成を示す全体構成図である。
【図２４】本考案にかかる、収納構造の実験構成を示す全体構成図である。
【図２５】本考案にかかる、収納構造を使用しない場合の状態を示す実験構成図である。
【図２６】本考案にかかる、フラップ付カードケースの状態を示す実験構成図である。
【図２７】本考案にかかる、財布のカード収納部１８ｐの状態を示す実験構成図である。
【図２８】本考案にかかる、財布のカード収納部１８ｎの状態を示す実験構成図である。
【図２９】本考案にかかる、財布のカード収納部１８ｌの状態を示す実験構成図である。
【図３０】本考案にかかる、財布のカード収納部１８ｋの状態を示す実験構成図である。
【図３１】本考案にかかる、財布のカード収納部１８ｊの状態を示す実験構成図である。
【図３２】本考案にかかる、財布のカード収納部１８ｉの状態を示す実験構成図である。
【図３３】本考案にかかる、財布のカード収納部１８ｈの状態を示す実験構成図である。
【図３４】本考案にかかる、財布のカード収納部１８ｇの状態を示す実験構成図である。
【表１】
0003114145.tif 000003
本考案にかかる、収納構造を使用しない場合の計測データ示す表である。
【表２】
0003114145.tif 000004
本考案にかかる、フラップ付カードケースの計測データ示す表である。
【表３】
0003114145.tif 000005
本考案にかかる、財布のカード収納部１８ｐの計測データ示す表である。
【表４】
0003114145.tif 000006
本考案にかかる、財布のカード収納部１８ｎの計測データ示す表である。
【表５】
0003114145.tif 000007
本考案にかかる、財布のカード収納部１８ｌの計測データ示す表である。
【表６】
0003114145.tif 000008
本考案にかかる、財布のカード収納部１８ｋの計測データ示す表である。
【表７】
0003114145.tif 000009
本考案にかかる、財布のカード収納部１８ｊの計測データ示す表である。
【表８】
0003114145.tif 000010
本考案にかかる、財布のカード収納部１８ｉの計測データ示す表である。
【表９】
0003114145.tif 000011
本考案にかかる、財布のカード収納部１８ｈの計測データ示す表である。
【表１０】
0003114145.tif 000012
本考案にかかる、財布のカード収納部１８ｇの計測データ示す表である。
【符号の説明】
【０２１０】
１０    財布
１１    カードケース
１１ａ  カードケース
１１ｂ  カードケース
１３    電子情報格納媒体
１５    収納部
１５ａ  収納部
１５ｂ  収納部
１５ｃ  収納部
１５ｄ  収納部
１５ｅ  収納部
１５ｆ  収納部
１５ｇ  収納部
１５ｈ  収納部
１６    隔壁材
１７    ＩＣカード
１８    カード収納部
１８ｆ  カード収納部
１８ｇ  カード収納部
１８ｈ  カード収納部
１８ｉ  カード収納部
１８ｊ  カード収納部
１８ｋ  カード収納部
１８ｌ  カード収納部
１８ｍ  カード収納部
１８ｎ  カード収納部
１８ｏ  カード収納部
１８ｐ  カード収納部
１８ｑ  カード収納部
１８ｒ  カード収納部
１８ｓ  カード収納部
１８ｔ  カード収納部
１８ｖ  カード収納部
１９    外皮材
１９ａ  外皮材
１９ｂ  外皮材
１９ｃ  外皮材
１９ｄ  外皮材
１９ｅ  外皮材
１９ｆ  外皮材
１９ｇ  外皮材
１９ｈ  外皮材
２０    内装材
２０ａ  内装材
２０ｂ  内装材
２０ｃ  内装材
２０ｄ  内装材
２０ｅ  内装材
２０ｆ  内装材
２０ｇ  内装材
２０ｈ  内装材
２０ｉ  内装材
２０ｊ  内装材
２０ｋ  内装材
２０ｌ  内装材  
２０ｍ  内装材  
２０ｎ  内装材  
２０ｐ  内装材 
２０ｑ  内装材
２０ｒ  内装材  
２０ｓ  内装材
２０ｔ  内装材
２０ｕ  内装材
２０ｖ  内装材
２０ｗ  内装材
２０ｘ  内装材
２１    開口部
２１ａ  開口部
２１ｂ  開口部
２１ｃ  開口部
２１ｆ  開口部
２１ｇ  開口部
２１ｈ  開口部
２１ｉ  開口部
２１ｊ  開口部
２１ｋ  開口部
２１ｌ  開口部
２１ｍ  開口部
２１ｎ  開口部
２１ｏ  開口部
２１ｐ  開口部
２１ｑ  開口部
２２    端部
２２ａ  下端部
２２ｂ  端部
２３    フラップ部
２３ａ  フラップ部
２３ｂ  フラップ部
２４    札入れ部
２５    フラップ部
２７    表面側外皮材
２７ａ  表面側外皮材
２７ｂ  表面側外皮材
２７ｃ  表面側外皮材
２８    裏面側外皮材
２８ａ  裏面側外皮材
２８ｂ  表面側外皮材
２８ｃ  表面側外皮材
２９    スペーサー
３０    袋体
３０ａ    袋体
３０ｂ    袋体
３０ｃ    袋体
３１    開口部
３１ｂ    開口部
３１ｃ    開口部
３２    ファスナー部
３２ｂ    ファスナー部
３２ｃ    ファスナー部
３３    ファスナー固定片
３４    ポケット
３５    携帯電話
３６    腕時計
３７ｆ  補強外装材
３７ｇ  補強外装材
３７ｈ  補強外装材
３７ｉ  補強外装材
３７ｊ  補強外装材
３７ｋ  補強外装材
４０    先端部側収納部
４１    後端部側収納部
４２    開口部
４４    上端部
４４ａ  上端部
４５    内側面部
４６    折り曲げ部
４７    固定糸
４８    幅方向端部
４９    表面側外皮材
５０    札入れ襞部
５１    係止凸部
５２    係止凹部
５３    収納襞部
５４    ファスナー
５４ａ    歯部
５４ｂ    スライダー
５５    シールド材
５６    スライダー
５７    外皮帯材
５８    ファスナー収納部
５９    ポケット部
６０    ポケット部
６１    送信機
６２    受信コイル
６３    先端折曲部
６４    上端側頂部
６５    上端側頂部
６６    折曲端部
６７    折曲端部
６８    フック部材
７０    フック部材
７１    係止凸部
７２    係止凹部
８０    ファスナー部
８１    フラップ部
８２    上端部
８３    長さ方向一辺部
８４    長さ方向他辺部
８５    スライドガイド部
８６    係止凹部
８７    係止凸部
８８    スライド部
８９    遮蔽部材
９０    スライド基部
９１    アーム部
９２    ロック部
９３    保持片部
９４    薄板部
９５    厚板部
９６    スライド板部
９７    凹状部
９８    凸状部
９９    スライドガイド部
１００    スライドガイド部
Ａ      表面
Ｂ      裏面
Ｗ１    幅寸法
Ｗ２    幅寸法
Ｗ３    間隙
Ｗ４    幅寸法
Ｗ５    間隔寸法
Ｗ６    厚さ寸法
Ｗ７    厚さ寸法
Ｗ８    幅寸法
Ｗ９    幅寸法
Ｗ１０  幅寸法
Ｗ１１  幅寸法
Ｌ１    長さ寸法
Ｌ２    長さ寸法  
Ｌ４    幅寸法
Ｌ５    長さ寸法
【図１】
0003114145.tif 000013
【図２】
0003114145.tif 000014
【図３】
0003114145.tif 000015
【図４】
0003114145.tif 000016
【図５】
0003114145.tif 000017
【図６】
0003114145.tif 000018
【図７】
0003114145.tif 000019
【図８】
0003114145.tif 000020
【図９】
0003114145.tif 000021
【図１０】
0003114145.tif 000022
【図１１】
0003114145.tif 000023
【図１２】
0003114145.tif 000024
【図１３】
0003114145.tif 000025
【図１４】
0003114145.tif 000026
【図１５】
0003114145.tif 000027
【図１６】
0003114145.tif 000028
【図１７】
0003114145.tif 000029
【図１８】
0003114145.tif 000030
【図１９】
0003114145.tif 000031
【図２０】
0003114145.tif 000032
【図２１】
0003114145.tif 000033
【図２２】
0003114145.tif 000034
【図２３】
0003114145.tif 000035
【図２４】
0003114145.tif 000036
【図２５】
0003114145.tif 000037
【図２６】
0003114145.tif 000038
【図２７】
0003114145.tif 000039
【図２８】
0003114145.tif 000040
【図２９】
0003114145.tif 000041
【図３０】
0003114145.tif 000042
【図３１】
0003114145.tif 000043
【図３２】
0003114145.tif 000044
【図３３】
0003114145.tif 000045
【図３４】
0003114145.tif 000046